(57)【要約】      （修正有）【課題】上顎部総歯が抜け落ちた等の場合には、従来は、総入歯と上顎内面間に粘着性物質を挟んで真空として脱落防止させていたが、長い時間も保てず自然落下して総入歯を噛みこんだり息吐き時にはずれてしまい、口内肉部を負傷させる事実の勃発を防止する。【解決手段】最も単純な形態としては、柔軟で、かつ、強力な弾性力を持つ「ばね」を上下の総義歯あるいは固定できる最奥等の部分義歯に渡し、かつ、その使用感を極力排除するようにして、上顎部からの落下を防止させる。【選択図】図１
0003130417.tif 000002
【実用新案登録請求の範囲】
【請求項１】
上顎部の全歯が抜けている老人等に関係し、その上顎部は総義歯で下顎の奥歯等もが義歯である条件下にある場合に、上顎下顎が別個に入れ歯を装填させてある上顎用総義歯の最奥歯部と下側義歯最奥歯部との両義歯が、あるいは、それらの１個前側のもそうである場合も含めて、まだ上下共に義歯を装着せず状況での義歯用金属の最奥歯の外環の側面だけの義歯ができているとして、その上下の最奥の義歯の対の噛み合わせた平均の１平面に平行して、その上側と下側とに適当距離だけ歯茎側に離れた上下２面上の歯列方向の想定中心線に対して等距離にある位置に、歯列方向線沿いにその上下２面上で各外環側面に、歯列方向線を挟んで２個ずつの小さい円筒形の穴（４）を明けておき、その上下の両義歯等の奥側の外環の対の２穴間には、義歯の軸と垂直に、決められた方形状の突起部（６）、（６′）を上下の外環側面に溶接等で固定しておき、義歯装着者に装着させる前の上下両者が左側部であれば、作業台の平面上に、その同じ左側の最奥の義歯の象牙部相当側を天側に揃え、かつ、最奥側突起部を向かい合わせにした状態に置いた後に、それらに、別に、事前に大量生産等で作成してある、ある程度の直径と長さと弾性力を有する対腐蝕性の、合同なつる巻ばね２個を噛み合わせて１本の２重つる巻ばね（９）となし、その内部空間に無害のゴム（１１）を充填し、つる巻ばねの外面全周部には、細く丈夫な金属の網目地の金網（１２）類や丈夫な布類で包み、その外側にもゴムを適当の厚さに塗布し、更に、その上面に丈夫で柔軟な耐水性管状の薄膜（１０）を塗布したり被せたりし、そのつる巻ばねの長さ方向に長さが変化させられても何処も破れないように施行させて置き、その２重つる巻ばねの両端部は、場合によっては部分的に両義歯の大きさよりも直径を小さくしてあるが、その左右に位置する左上最先端部（５）と左下最先端部（５′）のそれぞれを適当に加熱等で鈍らせて線分状にしてあるそれらの２本ずつを突き出たせた両者間には、突起（６）や（６′）がぴったり嵌入出来る様な凹部（７）、（７′）が設定してある２ばね先端固定部（１５）により完成される全体を、連結ばね体（１）とし、上の２個の向かい合う最奥義歯等に明けた２個ずつ対の穴のうちの、向かい合う最も近い最奥部側の内側部のそれぞれの突起の両脇の２個ずつの穴に、左右の対のばね先端２線分部（５）と（５′）との直線部をそれぞれ差し込み、最奥義歯外環（２や２′）等の内部空間内で対の２線分を結んで固定材とか溶接等で固定したり、同外環の反対側面から出してから隣接の前側の外環内で固定をさせるとかで、同じ左側の上下の最奥義歯を連結ばね体（１）で連結させたような装置を実際に装着した時に、上下の両顎が自然に閉じる状況にある場合と同様な密着力で上側の義歯が食事中に自然落下しない様にした、２重つる巻ばねを主体とした、咬合角頂点分散型上下義歯類の連結ばね体。
【考案の詳細な説明】
【技術分野】
【０００１】  本考案は、高齢者や事故等で上下歯の大部分を総入歯とした個人等の上側総入歯装着者の、食事時の上側総入歯の自然落下による同入歯の噛み込みやで口内負傷を発生する機会の防止による、快適な総入歯の使用の可能が約束される技術に関する。
【背景技術】
【０００２】  近年では高齢者の歯の脱落に伴い歯科医師から勧められる咬合可能手段は、上顎の歯が全て抜けた場合には、総入歯にするのが普通に行なわれているが、この総入歯は、口蓋と義歯床との間に吐く息吹く息が喉側から侵入しやすく、その為に総義歯が外れ易くなったり、また、脱歯後の陥没した肉穴と完全に嵌合し合わない義歯部分に局所的な力が過剰に加わると、総入歯が外れて義歯を歯肉部で噛んでしまう痛手を生じてしまう場合が多い事実からの回避には、ゆっくりと気長に、総入歯を定位置に直し直しをしてからの噛み込みをする他は無く、その苦労の実情に甘んじなくてはならなかった過去の歴史が存在する。【０００３】  近年になっは、インプラントの技術が進行してきたが、歯１本で３０万円以上では、一般的には、保険が利かずで、普及には高級すぎる技能である難点があった。
【考案の開示】
【考案が解決しようとする課題】
【０００４】  上に述べたインプラントの技術は、顎の骨を削ってその中に義歯の根元を埋め込む作業が伴い、高度な技術を要したゆえ、既製品が大量に作成されて、どのような技術士がやっても確実に総義歯使用者の使用感を満足させるには、別に、手軽に構成でき、かつ、使用者が満足できる様にする課題が生じている。【０００５】  それには、まず、上顎部からの自然落下を防止する手段の解決だとの課題に焦点が集まると言える。【０００６】  上に述べた上顎部面からの総入歯の落下については、従来は、空気圧１気圧を利用して総義歯の裏面と上顎骨上の肉面との間に粘着性物質やテープを挿入して一時的な真空にかかる１気圧による総義歯の落下を防止させようとしていたが、実用としては、咬合時には舌等の接触によるその真空保持が困難となる為に、すぐに自然落下してしまう結果からの、予想外の使用者の不満となっている点も克服できるようにする点も課題となっていた。
【課題を解決するための手段】
【０００７】  上の課題を解決するためには、第１に、最も単純な形態としては、柔軟で、かつ、強力な弾性力を持つ「ばね」を上下の総義歯あるいは固定できる最奥等の部分義歯に渡し、かつ、その使用感を極力排除するようにして、上顎部からの落下を防止させる。【０００８】  第２に、咬合運動が１億回でも使用できるとするばねの支持部における複数あるいは単数の総義歯の、左右又は片方かの、ばねの上下の両端部での接続部における荷重振動に対しても、支持埋め込み部分との接続には、歯形なり歯面を持つ金属部の歯形間での溶接等の結合を完全にさせておく。【０００９】  第３に、前項「０００８」のばねには、単一ばねを使用も可能ではあるが、不時の折損の場合での頬内部損傷を防止するためには、円形つる巻ばねや楕円形つる巻ばねを単独使用するよりも、複数個を使用する方が効果的である。【００１０】  第４に、万が一のつる巻ばねの破損時の負傷や使用時のつる巻ばね間の隙間の開閉時に頬内肉部が挟まれないように、つる巻ばねの全体を柔軟で無害なゴム類を内部空間に充填すると共に、つる巻ばね全体を柔軟で劣化せず丈夫なしわ付の皮膜薄膜で覆うことで、つる巻ばねの使用感を低減させる。【００１１】  第５に、つる巻ばねの強さは、口を閉じた時にはやや弱い弾力があって上下の義歯の噛み合いには少し下顎に力を入れる程度とし、大きな力を加えなくても、下顎が少しさげられる程度で、下顎の筋肉に負担をかけない程度の弾性が与えられているようにしておく。【００１２】  第６に、場合によっては、つる巻ばねと上下の義歯相当との接続部分には、特に、上側の総義歯との接続部分には、下顎の運動にも自然脱落しないような接続装置を設置して臨時の取り外し改良修理もできるようにもして置かなくてはならないので、左右の最先端２線部分５や５′の長さはある程度長くしておき、最奥義歯の外環の内部空間内で２本の最先端部を捻らないで、その１個分前側の義歯の外環内で結んで置けば、少なくても、１度の修理は可能となる。
【考案の効果】
【００１３】  以下に、本考案の実施の形態とその効果を図１〜図３に基づいて説明をする。【００１４】  図１（ａ）には、本考案の「咬合角頂点分散型上下義歯類の連結ばね体」１略して「連結ばね体」１の、装着予定者の口内に装着前の２重つる巻ばね９やゴム１１が伸長した自然状態時の平面図を示してあり、その両端では、取り外し可能の（左）上最奥義歯外環２と（左）下最奥義歯外環２′とにそれぞれ接続された部分の、対腐蝕性の針金又は比較的小さい周辺の角を丸めてある「連結部８付の平板状の突起部６」と同様な突起部６′とにより、連結ばね体１に接続されてあるが、場合によっては、溶接等による直接連結とすることもある。【００１５】  総入歯の重量はせいぜい２０グラム前後であるが、粘着性の食物を噛むときには，上顎から引き離される力は非常に大きくなるので、連結ばね１の弾性力にはそれらに打ち勝って総入歯が上顎内面から離れないような弾性力が必要であるが、これには個人差もあり、平均的に決めて置くこともでき、実験で段階的な弾性を学会で決めて置くこともできる。【００１６】  人間の歯は上下共に最奥の番号が８まであり、８番歯は親知らずゆえ、一般的には無視できるので、上顎と下顎との結合部の喉脇壁までの空間が２立方センチ前後ある空間内に、本考案の連結ばね体１を設定するには、技術的には義歯製作程度の繊細な技巧を要するとしても、材量的には大量生産が利用できる可能性があるし、あまり高価ではないので、保険でも適用できるようにすれば、総義歯を使用する人には大きな朗報となる。【００１７】  まだ装着してない本考案の連結ばね体１の両端部には、図１（ａ）、（ｂ）のように、連結部８と８′とが設置してあり、これらは、それぞれ対応する左上と左下の最奥義歯外環２と２′とに接続する。【００１８】  左上下の最奥義歯外環２と２′との、連結ばね体１のある側の面上には、それらの義歯の軸と垂直で連結ばね体１側に、それぞれに突起部６と６′とが直接に溶接してある。【００１９】  前項「００１８」の突起部６と６′に対応した、連結ばね体１の連結部８と８′のそれぞれの、２重のつる巻ばね９のそれぞれの両端が焼きなまされてあって線分状に平行に固定されてある、それぞれの、２ばね先端固定部１５と１５′との間には、突起部６と６′に対応した凹部７と７′とがそれぞれ設置してある。【００２０】  連結ばね体１の構造については、図１（ｂ）の右端の途中分断した箇所に、その内部構成を示したが、その太さについては、断面が円形よりも楕円形の方が、この装置を使用した状況により決められるが、完成させた時点での装着使用状況によって断面の形態は決定されるが、咀嚼の上ではどちらでも良い。【００２１】  いずれにしても、その連結ばね体１の太さは細いほうが良いが、１億回もの咀嚼に耐えるようにしなければならないので、かなり複雑な構造となっているが、部分的には、省略する事もできる。【００２２】  連結ばね体１の構造の主体は、合同な２個のつる巻ばねを重ね合わせた２重つる巻ばね９を骨として、両ばねの内部空間に適当な弾力と柔軟性を有するゴム１１を充填させてから、２重つる巻ばね９の外側面に密着させるように、細い鋼線を網状に編んだ筒袋状にした金網１２を密着���せてから、時には代りに布製の袋も使用の可能性もあるが、その上面に、適当な厚さに更に、ゴム１１で覆い、その上から丈夫で適当な感触の良い褶曲性に富んだ薄膜１０で覆う様にしてある。【００２３】  連結ばね体１の構造の宿命としては、最奥総義歯の直径に比べて大き過ぎては直接に接続できないので、図１のようにくびれ部１６、１６′を設定して接続の容易を図るが、連結ばね体１自体が細くて済む場合には、そのままで最奥義歯に接続することもできる。【００２４】  本考案の連結ばね体１を、使用者に装着する前に、上側の義歯や下側の義歯だけではなく、前項「００１４〜００１９」に記載した様な連結ばね体１の両端に設置の２重つる巻ばね９の左右のばね最先端２線分部５と５′の２本ずつの線分状の先端の２本を、図１（ａ）では左上最奥義歯外環２に明けたばね通し穴４に通し、同様に左下最奥義歯外環２′のばね通し穴にも残りの対の２本を通して、それぞれの対のばね最先端２線分部５あるいは５′を、それぞれの左上最奥義歯材埋部３や同左下最奥義歯材埋部３′の空所内で対のばね最先端２線分部５又は５′をそれぞれ捻り合わせるか、後日の再調整用として修理する場合を考えての、これも未装着の、最奥義歯の１個前側の義歯の空間内でそのような操作をするとかして、できれば左下最奥義歯にも同様な操作をするかした後に、本考案の連結ばね体１を取り付けた左上最奥義歯の総入歯の定位置に設置固定し、装着補正してから、残りの左下最奥義歯外環２′を仮取り付け後に本取り付けをする等の、状況により自由に設置と装着を歯科医師の判断で実施し、完成させる。【００２５】  咬合状況の左側面閉口図を図２に示し、左側面開口図を図３に示したが、この時の下顎代表線２１の「下顎回転軸○」２３は、その位置が下顎が動くと変化するので、咬合角頂点が分散するとして、本考案の名称も「咬合角頂点分散型」と名称付けしたが、その他の意味はない。【００２６】  図２で、上義歯２と下義歯２′とが閉じている場合には、連結ばね１の弾力は最大であり、図２の噛み合い時上顎押上げ力の作用を表わした矢印２７が大きい矢印で示してあるが、餅等の粘性が強い食物が上義歯に付着した時に、下顎を図３の様にその下方へ下ろすと、その時の連結ばね１の作用が小さくなるが、それが図示された開口時上顎押上げ力の作用を表わした矢印２５よりも小さければ上総義歯は外れないが、大きければ本装置の効果は消失して総入歯が外れてしまう。【００２７】  従って、前項「００２６」の矢印２５が、餅等の引力に打ち勝つ程度に、２重つる巻ばね９の弾性を強力にするが、その場合には、閉口時の閉じた口が自然に開かれてしまう可能性が生じるが、連結ばね体１の実用的な弾力の物が各種製作してあれば、実施時までに希望通りに自由に決めさせるようにできることから、希望に応じた連結ばね体１についての装着者の不満からの、トラブルは回避可能である。
【産業上の利用可能性】
【００２８】  上述したように本考案の、咬合角頂点分散型上下義歯類の連結ばね体略して、連結ばね体の製作には、つる巻ばね工業、特殊鋼工業、不錆鋼工業、ゴム工業、特殊金網工業、金属結合工業、特殊ビニール工業、等の多岐に関連している。【００２９】  しかも、高年齢層向きの咬合性の改善が果たせる結果を得られるので、新規の義歯結合業の要望と歯科医師業者の繁栄にも通じる。
【図面の簡単な説明】
【００３０】
【図１】  本考案の実施形態の１例を示す、咬合角頂点分散型上下義歯類の連結ばね体略して、連結ばね体、の未装着時のばねの力が働かない状況を平面上に並べた様子を示す平面図（ａ）、図１（ａ）の上下相当部分のうちの左端部の１部の拡大図で、義歯外環の穴に対のばねの最先端部を挿入直前の状況と共に連結ばね体の内部構造の１例を部分的剥離分断で示した構造をも示した平面図の図１（ｂ）、この図１（ｂ）のばねの最先端部を穴に全長挿入して捻じり、かつ、隣接前側の義歯にも先端を伸ばさせようとしている状況を示した平面図の図１（ｃ）
【図２】  本考案を装着した人物の左上下義歯の噛み合いと、本考案装置の変形状況と共に、上下の左最奥義歯に大きく働く連結ばね体の力の作用の大きさを矢印で示した、上下顎結合内壁部の状況をも示した模式的な左側面図
【図３】  本考案を装着した人物の上顎総義歯の左最奥義歯と下顎側左最奥の義歯との開口時での、本考案の変形状況と共に前図２と比較した連結ばね体の力の作用の大きさを表わした矢印の変化状況を示す模式的な左側面図
【符号の説明】
【００３１】１  連結ばね体
２  （総入歯の）左上最奥義歯外環
２′  （左）下最奥歯義歯外環
３  （左）上最奥義歯材埋部
３′  （左）下最奥義歯材埋部
４  （左上）ばね通し穴
４′  （図中には示してない左下）ばね通し穴
５  （左上）ばね最先端２線分部
５′  （左下）ばね最先端２線分部
５″  （左上）ばね最先端２線分捻じり部
６  （左上）突起部
６′  （左下）突起部
７  （左上）凹部
７′  （左下）凹部
８  （左上）連結部
８′  （左下）連結部
９  ２重つる巻ばね
１０  薄膜（表面）
１１  ゴム（表面）
１２  金網
１３  （左上）２ばね結合部
１３′  （図に示してない左下）２ばね結合部
１４  （左上）最奥手前義歯位置
１５  （左上）２ばね先端固定部
１５′  （図には示してないが左下）２ばね先端固定部
１６  （左上）くびれ部
１６′  （左下）くびれ部
２０  （左）上顎部代表線
２１  （左）下顎部代表線
２２  （左）上下顎結合内壁部
２３  （左）下顎回転軸○
２５  （左）開口時上顎押上げ力の作用を表わした矢印
２６  （左）開口時下顎押下げ力の作用を表わした矢印
２７  （左）噛み合い時上顎押上げ力の作用を表わした矢印
２８  （左）噛み合い時下顎押下げ力の作用を表わした矢印
【図１】
0003130417.tif 000003
【図２】
0003130417.tif 000004
【図３】
0003130417.tif 000005
【手続補正書】
【提出日】平成18年12月18日(2006.12.18)
【手続補正１】
【補正対象書類名】実用新案登録請求の範囲
【補正対象項目名】
【補正方法】変更
【補正の内容】
【書類名】            実用新案登録請求の範囲
【請求項１】
上顎部の全歯が抜けている老人等に関係し、その上顎部は総義歯で下顎の奥歯等もが義歯である条件下にある場合に、上顎と下顎が別個に入れ歯を装填させてある上顎用総義歯の最奥義歯部と、下側最奥義歯部とその１個前側のも義歯である場合も含めたそれらが、まだ上下共に本考案適用義歯を装着せずの状況での義歯用金属の最奥歯やその１個前側相当の、それぞれが樽状円筒型の外環としての義歯が装着前作業ができる状況であるとして、その上下の最奥等の義歯の対を噛み合わせた場合のその平均の１平面に平行して、その上側と下側とに適当距離だけ歯茎側に離れた２面上のそれぞれの歯列方向の想定中心線を含む鉛直面の内側と外側にほぼ等距離の外環側面上の奥側と前側に、歯列方向鉛直面を挟んでほぼ水平位置で１対の小さい円筒形の穴（４）の１群の２乃至４群分を上下顎分に明けておき、その上顎下顎の最奥側の外環の対の２穴間には、義歯の軸と垂直に奥側に、決められた方形状の突起部（６）、（６′）をそれぞれに溶接等で固定しておき、義歯装着者に装着させる前のその上下相当の両者外環が左側部用であれば、作業台の平面上に、その同じ左側の最奥の義歯の象牙部相当側を天側に揃え、かつ、最奥側突起部を向かい合わせにした状態に置いた後に、それらに、別に、事前に大量生産等で作成してある、ある程度の断面円直径と長さと弾性力を有する対腐蝕性の、合同なつる巻ばね２個を噛み合わせて１本の２重つる巻ばね（９）となし、その内部空間に無害のゴム（１１）を充填し、つる巻ばねの外面全周部には、細く弾性のある金属の網目地の金網（１２）類や丈夫な布類で包み、その外側にもゴムを適当の厚さに塗布し、更に、その上面に丈夫で柔軟な耐水性管状の薄膜（１０）を塗布するか被覆させ、そのつる巻ばねの長さ方向に長さが変化させられても何処も容易には破れないように施行させて置き、その２重つる巻ばねの両端部は、場合によっては部分的に両義歯の大きさよりも直径を小さくしてあるが、その左右に位置する左上最先端部（５）と左下最先端部（５′）のそれぞれを、適当に加熱等で鈍らせて線分状に平行にしてあるそれらの２本ずつを突き出たせた両者間には、突起（６）や（６′）がぴったり嵌入出来る様な凹部（７）と（７′）が設定してある２ばね先端固定部（１５）と（１５）′により完成される全体を、連結ばね体（１）とし、上の２個の向かい合う最奥義歯等に水平に明けた２個ずつ対の穴のうちの水平な台上で向かい合う最も近い最奥部側の内側部のそれぞれの突起の両脇の２個ずつの穴に、上側下側のそれぞれ、即ち、図１（ａ）での左右の、対のばね先端平行２線分部（５）と（５′）とをそれぞれ差し込み、最奥義歯外環（２）や（２′）等の、まだ義歯材を埋めてない上下最奥義歯材埋部（３）、（３′）内で、これら対の２線分を結んでから固定材か溶接等で固定したり、時には、同外環の最奥面と反対側面から出してから口先側隣接の外環内で固定をさせるとかで、同じ左側の上下の最奥義歯を連結ばね体（１）で連結させたような装置を実際に装着した時に、上下の両顎口が自然に閉じる状況にある場合と同様な密着力で、上側の義歯が食事中に自然落下しない様にした、２重つる巻ばねを主体とした、咬合角頂点分散型上下義歯類の連結ばね体。